(57)【要約】【課題】第２の露光制御の特性を活かした撮影モード時において、第１の露光制御による撮影も併せて実施可能な撮像装置を提供する。【解決手段】制御・演算部１２０は、撮像素子の全行同時リセットにより露光を開始しメカニカルシャッタ閉じにより露光を終了する第１の露光制御と、撮像素子の各行単位でリセットにより露光を開始し画素信号の読出しにより露光を終了する第２の露光制御とを行い、第１の露光制御における１枚の静止画記録と、第２の露光制御における複数枚の静止画記録とを連続して行うように制御する。【選択図】図１
2008306684.tif 000002
【特許請求の範囲】
【請求項１】
メカニカルシャッタを含む撮影光学系と、
前記撮影光学系から入射される被写体像を電気信号に変換しＸＹアドレス方式で２次元配列した各画素信号を出力する固体撮像素子と、
前記固体撮像素子出力を所定の形式に変換する画像処理部と、
前記画像処理部で処理された信号を記録保存する記録保持部と、
自装置全体を制御する制御・演算部とを有し、
前記制御・演算部は、
前記固体撮像素子の全行同時リセットにより露光を開始しメカニカルシャッタ閉じにより露光を終了する第１の露光制御と、
前記固体撮像素子の各行単位でリセットにより露光を開始し画素信号の読出しにより露光を終了する第２の露光制御とを行い、
前記第１の露光制御における１枚の静止画記録と、前記第２の露光制御における複数枚の静止画記録とを連続して行うように制御することを特徴とする撮像装置。
【請求項２】
メカニカルシャッタを含む撮影光学系と、
前記撮影光学系から入射される被写体像を電気信号に変換しＸＹアドレス方式で２次元配列した各画素信号を出力する固体撮像素子と、
前記固体撮像素子出力を所定の形式に変換する画像処理部と、
前記画像処理部で処理された信号を記録保存する記録保持部と、
自装置全体を制御する制御・演算部とを有し、
前記固体撮像素子の全行同時リセットにより露光を開始しメカニカルシャッタ閉じにより露光を終了する第１の露光制御と、
前記固体撮像素子の各行単位でリセットにより露光を開始し画素信号の読出しにより露光を終了する第２の露光制御と、
前記第２の露光手段における複数枚の静止画記録と、前記第１の露光手段におけ１枚の静止画記録を連続して行うように制御することを特徴とする撮像装置。
【請求項３】
前記制御・演算部は、
使用者の１アクションによる操作入力により、連続する静止画記録制御を行なうことを特徴とする請求項１または２に記載の撮像装置。
【請求項４】
前記第１の露光制御における１枚の静止画撮影と、前記第２の露光制御における複数枚の静止画撮影との順序を、使用者が自装置の操作画面上で選択可能であることを特徴とする請求項１または２に記載の撮像装置。
【請求項５】
前記制御・演算部は、
前記第２の露光制御における静止画撮影時に、前記撮影光学系のフォーカス位置、前記撮影光学系の絞り径、露光時間、撮影感度の少なくとも１つを可変させて複数枚の撮影を行うように制御することを特徴とする請求項１または２に記載の撮像装置。
【発明の詳細な説明】
【技術分野】
【０００１】
本発明は、ＣＭＯＳセンサを搭載する撮像装置に関する。
【背景技術】
【０００２】
ＣＣＤ（Charge  Coupled  Device）の露光は、電子シャッタと画素データ読み出し併用、もしくは電子シャッタとメカニカルシャッタ併用による全画素同時露光・蓄積をおこなう方式が一般的である。
【０００３】
これに対して、ＣＭＯＳ（Complementary  Metal  Oxide  Semiconductor）センサには、ローリングシャッタといわれる露光方式がある。ローリングシャッタも、電子シャッタと画素データ読み出しを併用する露光方式であるが、画素行毎に露光開始と露光終了タイミングを順次ずらす点でＣＣＤとは異なる。
【０００４】
このためローリングシャッタは、長所として画素データの読み出しを高速にするが、短所として画素行毎の露光期間ずれに起因した動被写体の歪みを原理的にかかえている。（水平方向に移動する垂線を撮影すると、斜線として撮像される。）
【０００５】
特許文献１では、ローリングシャッタ方式とメカニカルシャッタ方式の両方式に対応したＣＭＯＳセンサを搭載した撮像装置において、モニタモード時は、ローリングシャッタ方式を採用し、静止画撮影時はメカニカルシャッタ方式を採用している。そこで、画像品質がより重要視される静止画において上記の歪みの解決策について記載している。
【０００６】
これとは別の流れとして、ローリングシャッタ方式の高速性（すなわち撮影間隔の高速性）を静止画に積極的に活かす案についても記載がある。
【０００７】
また、高速に読み出した複数枚の画像の座標をずらして画像合成することで、手ぶれ補正に応用することについて記載がある。
【０００８】
さらに、ＣＭＯＳセンサのローリングシャッタ方式による静止画は、長所である画素データ読みだしの高速性を活かして、手ぶれ補正だけではなくダイナミックレンジ拡大撮影（＝露出の異なる複数枚の画像を合成して黒つぶれ白飛びを軽減した１枚の画像を作る）やブラケット撮影（露出ブラケット撮影＝Ｅｖ補正して複数枚撮影、フォーカスブラケット撮影＝フォーカス位置を変えて複数枚撮影、被写界深度ブラケット撮影＝絞り径を変えて複数枚撮影、被写体ぶれブラケット撮影＝撮影感度を切り替えて複数枚撮影）など応用性が高い。
【特許文献１】特開２００６−１９１２３６号公報
【発明の開示】
【発明が解決しようとする課題】
【０００９】
しかしながら、上述したように、複数枚の撮影をおこなうときにローリングシャッタは、有効であるが動被写体歪みの問題を一方では抱えている。
【００１０】
またその歪みレベルは画角内での被写体移動速度や画素データの読出しレートに依存するため、撮影結果の画像歪みが主観的に許容可能であるレベルであるか否かの判定は非常に難しい。更に、ダイナミックレンジ拡大撮影は複数枚の画像を１枚に合成するので、動く物体自体が被写体として適さないモードであるともいえる。
【００１１】
引用文献１は、動く被写体を撮影する場合に、失敗画像(＝撮影者の意図に合わない画像)の保険としてメカニカルシャッタ方式での記録画像を１枚記録すること、ローリングシャッタ方式の撮影と、メカニカルシャッタ方式との撮影順序を変えた撮影方式を有することまでは、記載されてない。また、これによる効果について示唆されていない。
【００１２】
そこで本発明は、第２の露光制御の特性を活かした撮影モード時において、第１の露光制御による撮影も併せて実施可能な撮像装置を提供することを目的とする。
【課題を解決するための手段】
【００１３】
上記の目的を達成するため、請求項１に記載の発明は、メカニカルシャッタを含む撮影光学系と、前記撮影光学系から入射される被写体像を電気信号に変換しＸＹアドレス方式で２次元配列した各画素信号を出力する固体撮像素子と、前記固体撮像素子出力を所定の形式に変換する画像処理部と、前記画像処理部で処理された信号を記録保存する記録保持部と、自装置全体を制御する制御・演算部とを有し、前記制御・演算部は、前記撮像素子の全行同時リセットにより露光を開始しメカニカルシャッタ閉じにより露光を終了する第１の露光制御と、前記固体撮像素子の各行単位でリセットにより露光を開始し画素信号の読出しにより露光を終了する第２の露光制御とを行い、前記第１の露光制御における１枚の静止画記録と、前記第２の露光制御における複数枚の静止画記録とを連続して行うように制御する撮像装置であることを特徴とする。
【００１４】
請求項２に記載の発明は、メカニカルシャッタを含む撮影光学系と、前記撮影光学系から入射される被写体像を電気信号に変換しＸＹアドレス方式で２次元配列した各画素信号を出力する固体撮像素子と、前記固体撮像素子出力を所定の形式に変換する画像処理部と、前記画像処理部で処理された信号を記録保存する記録保持部と、自装置全体を制御する制御・演算部とを有し、前記固体撮像素子の全行同時リセットにより露光を開始しメカニカルシャッタ閉じにより露光を終了する第１の露光制御と、前記固体撮像素子の各行単位でリセットにより露光を開始し画素信号の読出しにより露光を終了する第２の露光制御と、前記第２の露光制御における複数枚の静止画記録と、前記第１の露光制御における１枚の静止画記録を連続して行うように制御する撮像装置であることを特徴とする。
【００１５】
請求項３に記載の発明は、請求項１または２に記載の撮像装置において、前記制御・演算部は、使用者の１アクションによる操作入力により、連続する静止画記録制御を行なうことを特徴とする。
【００１６】
請求項４に記載の発明は、請求項１または２に記載の撮像装置において、前記第１の露光制御における１枚の静止画撮影と、前記第２の露光制御における複数枚の静止画撮影との順序を、使用者が前記撮像装置の操作画面上で選択可能であることを特徴とする。
【００１７】
請求項５に記載の発明は、請求項１または２に記載の撮像装置において、前記制御。演算部は、前記第２の露光制御における静止画撮影時に、前記撮影光学系のフォーカス位置、前記撮影光学系の絞り径、露光時間、撮影感度の少なくとも１つを可変させて複数枚の撮影を行うように制御することを特徴とする。
【発明の効果】
【００１８】
本発明によれば、第２の露光制御の特性を活かした撮影モード時において、第１の露光制御による撮影も併せて実施可能な撮像装置を提供することを可能とする。
【発明を実施するための最良の形態】
【００１９】
本発明を実施する好適な実施の形態について説明する。なお、本実施の形態は、趣旨を逸脱しない範囲内において、また、当業者が容易に発想できる範囲内において、構成、動作、作用を変形実施可能とする。
なお、本実施の形態では、第１の露光制御は、メカニカルシャッタ制御（以下、メカニカルシャッタ方式）として用いる。
第２の露光制御は、ローリングシャッタ制御（以下、ローリングシャッタ方式）として用いる。
【００２０】
本発明に係る撮像装置を、以下を目的として実施する。
【００２１】
第２の露光制御の特性を活かした撮影モード時において、第１の露光制御による撮影も併せて実施することを目的とする。
【００２２】
動く被写体を撮影する場合に、失敗画像(＝撮影者の意図に合わない画像)の保険として従来技術であるメカニカルシャッタ方式での記録画像を１枚記録することを目的としている。
【００２３】
また、ローリングシャッタ方式の撮影とメカニカルシャッタ方式の撮影順序について言及し、動く被写体を撮影するとき撮影者にとってシャッタタイミングは重要であることから、レリーズタイムラグが短いほど画角に対して動く被写体を撮影意図に合わせて記録することを目的とする。
【００２４】
少なくとも上述した目的を実現する好適な実施の態様について説明する。
【００２５】
本発明に係る撮像装置の第１の態様は、
メカニカルシャッタを含む撮影光学系と、
前記撮影光学系から入射される被写体像を電気信号に変換しＸＹアドレス方式で２次元配列した各画素信号を出力する固体撮像素子と、
前記固体撮像素子出力を所定の形式に変換する画像処理部と、
前記画像処理部で処理された信号を記録保存する記録保持部と、
前記制御・演算部は、
前記固体撮像素子の全行同時リセットにより露光を開始しメカニカルシャッタ閉じにより露光を終了する第１の露光制御と、
前記固体撮像素子の各行単位でリセットにより露光を開始し画素信号の読出しにより露光を終了する第２の露光制御とを行い、
前記第１の露光制御における１枚の静止画記録と、前記第２の露光制御における複数枚の静止画記録とを連続して行うように制御することを特徴とする。
第１の態様による長所と短所
（メカシャッタ方式→ローリングシャッタ方式）
メカシャッタ画像
（長所）レリーズ押下直後の撮影なので動く被写体のタイミングがとれている。
（短所）ローリングシャッタ方式特有の撮影効果が得られない。
ローリングシャッタ画像
（長所）ローリングシャッタ方式による撮影効果は得られる。
（短所）レリーズ押下直後の撮影ではないため動く被写体のタイミングがとれていない。
（短所）ローリングシャッタ方式のため動被写体歪みがある。
【００２６】
本発明に係る撮像装置の第２の態様は、
メカニカルシャッタを含む撮影光学系と、
前記撮影光学系から入射される被写体像を電気信号に変換しＸＹアドレス方式で２次元配列した各画素信号を出力する固体撮像素子と、
前記固体撮像素子出力を所定の形式に変換する画像処理部と、
前記画像処理部で処理された信号を記録保存する記録保持部と、
自装置全体を制御する制御・演算部とを有し、
前記固体撮像素子の全行同時リセットにより露光を開始しメカニカルシャッタ閉じにより露光を終了する第１の露光制御と、
前記固体撮像素子の各行単位でリセットにより露光を開始し画素信号の読出しにより露光を終了する第２の露光制御と、
前記第２の露光手段における複数枚の静止画記録と、前記第１の露光手段におけ１枚の静止画記録を連続して行うように制御することを特徴とする。
第２の態様による長所と短所
（ローリングシャッタ方式→メカシャッタ方式）
メカシャッタ画像
（短所）レリーズ押下直後の撮影ではないため動く被写体のタイミングがとれていない。
（短所）ローリングシャッタ方式特有の撮影効果が得られない。
ローリングシャッタ画像
（長所）レリーズ押下直後の撮影なので動く被写体のタイミングがとれている。
（長所）ローリングシャッタ撮影による効果は得られる。
（短所）ローリングシャッタ方式のため動被写体歪みがある。
ローリングシャッタ方式による動被写体歪の影響が大きくなるような条件で動く主要被写体を撮影するときはメカシャッタ方式撮影重視で第１の態様での撮影方式が適しており、動被写体歪の影響が大きくない条件で動く主要被写体を撮影するときはローリングシャッタ方式撮影重視で第２の態様での撮影方式が適している。
第２の露光制御における長所は露出ブラケット撮影・フォーカスブラケット撮影・被写界深度ブラケット撮影・被写体ぶれブラケット撮影・ダイナミックレンジ拡大撮影・手ぶれ補正撮影の実現に対し、短所として動被写体歪みがあげられる。
これに対し、第１の露光制御においては動被写体歪みのない撮影が可能である。
第２の露光制御における短所を補う第１の露光制御における撮影を保険として連続して実施することで、撮影意図に合った画像の選択肢が広がる。
【００２７】
本発明に係る撮像装置の第３の態様は、
使用者の１アクションによる操作入力により、連続する静止画記録制御を行なうことを特徴とする。
上記構成によれば、簡易な操作性で上述した態様１、２の制御を実現することが可能となる。
【００２８】
本発明に係る撮像装置の第４の態様は、
前記制御・演算部は、
前記第１の露光制御における１枚の静止画撮影と、前記第２の露光制御における複数枚の静止画撮影との順序を、使用者が撮像装置の操作画面上で選択可能であることを特徴とする。
上記構成によれば、第１の露光制御と第２の露光制御の優先度を操作者が選択可能となる。
【００２９】
本発明に係る撮像装置の第５の態様は、
前記制御・演算部は、
前記第２の露光制御における静止画撮影時に、前記撮影光学系のフォーカス位置、前記撮影光学系の絞り径、露光時間、撮影感度の少なくとも１つを可変させて複数枚の撮影を行うように制御することを特徴とする。
第２の露光制御においての長所は露出ブラケット撮影・フォーカスブラケット撮影・被写界深度ブラケット撮影・被写体ぶれブラケット撮影・ダイナミックレンジ拡大撮影・手ぶれ補正撮影の実現に対し、短所として動被写体歪みがあげられる。
これに対し、第１の露光制御においては、動被写体歪みのない撮影が可能である。
上記構成によれば、第２の露光制御においての短所を補う第１の露光制御による撮影を保険として連続して実施することで、撮影意図に合った画像の選択肢が広がる。
【００３０】
上述した態様を有する本発明に係る撮像装置の構成について説明する。
図１は、本発明に係る撮像装置の構成の一例を示す図である。
【００３１】
光学ユニット１００は、レンズ１０１と、絞り・シャッタ１０２と、光学ローパスフィルタ１０３と、ＣＭＯＳセンサ１０４とで構成される。
【００３２】
レンズ１０１は、フォーカス時、ズーム時、起動・停止時にメカ的に位置をかえる。
【００３３】
また、絞り・シャッタ１０２は、撮影時に適切な絞り径に切り換たり、静止画撮影時にはシャッタの閉じ・開き動作を行なう。
【００３４】
光学系駆動部１０５は、これらを駆動し、制御・演算部１２０は、光学系駆動部１０５に駆動指示を与え、プログラム用メモリ１２１に記憶されたプログラム、撮像装置の利用者の操作部１２２の操作を実行することにより、この撮像装置の各部を統括的に制御する。
【００３５】
ＣＭＯＳセンサ１０４では、２次元に配列した受光素子部で結像した光学像を電荷子に変換し、駆動部１０６から送信される読出しタイミングによって外部に電気信号として出力される。
【００３６】
ＣＭＯＳセンサ１０４で出力した信号は、後段の画像処理部１１０で所定のフォーマットで画像処理され、記録画像は、圧縮・伸張処理部１２４と、画像記録Ｉ／Ｆ部１２５を介して最終的にはＳＤカードやコンパクトフラッシュ（登録商標）カードやＸＤピクチャーカードといったメディアにＪＰＥＧ画像として保存される。
【００３７】
記録前のモニタ状態で使用しているときは画像処理部１１０で表示用画像として処理され、ＬＣＤパネル１２３に随時更新表示される。
【００３８】
画像処理部１１０は、多くの処理機能で構成されるが、通常の画像処理機能以外に特殊機能としてダイナミックレンジ拡大部１１１、手ぶれ補正処理部１１２を図示する。  
【００３９】
画像バッファ用メモリ１２６は、画像処理部１１０によって処理された画像データを記憶する。
【００４０】
ダイナミックレンジ拡大部１１１は、露出レベルを変えて撮影した複数枚の画像を合成することでダイナミックレンジ拡大をおこなう処理部である。
【００４１】
手ぶれ補正処理部１１２は、撮像装置内にある手ブレ検出センサ結果をもとに、複数枚の画像の座標をずらして合成する処理部である。
【実施例１】
【００４２】
上述した構成を有する本発明に係る撮像装置において、実施を行う実施例について説明する。
【００４３】
本実施例に係る撮像装置の第１の処理について図２を用いて説明する。
図２は、本実施例に係る撮像装置のダイナミックレンジ拡大モード処理を示すフローチャートである。
第１の処理は、ローリングシャッタ方式によるダイナミックレンジ拡大撮影と、メカニカルシャッタによるダイナミックレンジ拡大を行わない通常撮影を１回の撮影操作で連続して実施する処理である。
例示として、３枚の画像合成でダイナミックレンジを拡大する。絞り径を変えると被写界深度が変化してしまうため、露出レベルは露光時間によって切り替えることとした。  なお、測光・演算において露光時間＝Ｔ２でメカニカルシャッタ方式での撮影では、適正露出が得られる。また、Ｔ１＞Ｔ２＞Ｔ３若しくはＴ１＜Ｔ２＜Ｔ３の関係となっている。
【００４４】
利用者は、操作部１２２により、撮像装置本体の電源を入れ、本処理を開始する（ステップＳ２０１）。
【００４５】
利用者によりレリーズ釦が押下される（ステップＳ２０２）。
【００４６】
制御・演算部１２０は、測光、演算を行なう（ステップＳ２０３）。
【００４７】
利用者の操作部１２２による操作により、制御・演算部１２０は、ダイナミック拡大撮影優先を行うか否かを判断する（ステップＳ２０４）。
【００４８】
制御・演算部１２０は、ダイナミック拡大撮影優先を行うと判断した場合（ステップＳ２０４／ＹＥＳ）、露光時間＝Ｔ１におけるローリングシャッタ露光・読み出し１を行う（ステップＳ２０５）。
【００４９】
制御・演算部１２０は、ダイナミック拡大撮影優先を行なわないと判断した場合（ステップＳ２０４／ＮＯ）、露光時間＝Ｔ２におけるメカニカルシャッタ露光・読み出し２を行う（ステップＳ２０９）。
【００５０】
ステップＳ２０５の処理後、露光時間＝Ｔ２におけるローリングシャッタ露光・読み出し２を行う（ステップＳ２０６）。
【００５１】
ステップＳ２０６の処理後、露光時間＝Ｔ３におけるローリングシャッタ露光・読み出し３を行う（ステップＳ２０７）。
【００５２】
ステップＳ２０７の処理後、露光時間＝Ｔ２におけるメカニカルシャッタ露光・読み出しを行う（ステップＳ２０８）。
【００５３】
ステップＳ２０９の処理後、露光時間＝Ｔ１におけるローリングシャッタ露光・読み出し１を行う（ステップＳ２１０）。
【００５４】
ステップＳ２１０の処理後、露光時間＝Ｔ２におけるローリングシャッタ露光・読み出し２を行う（ステップＳ２１１）。
【００５５】
ステップＳ２１１の処理後、露光時間＝Ｔ３におけるローリングシャッタ露光・読み出し３を行う（ステップＳ２１２）。
【００５６】
ステップＳ２０８の処理、ステップＳ２１２の処理後、制御・演算部１２０は、ダイナミック拡大処理を行うように制御する（ステップＳ２１３）。
【００５７】
ステップＳ２１３の処理後、制御・演算部１２０は、通常の画像処理を行うように制御する（ステップＳ２１４）。
【００５８】
ステップＳ２１４の処理後、制御・演算部１２０は、画像書き込み（２枚）を行うように制御する（ステップＳ２１４）。
【００５９】
ステップＳ２１４の処理後、本処理を終了する（ステップＳ２１５）。
本実施例によれば、ローリングシャッタ方式によるダイナミックレンジ拡大撮影と、メカニカルシャッタによるダイナミックレンジ拡大を行わない通常撮影を１回の撮影操作で連続して実施することを可能とする。
【実施例２】
【００６０】
本実施例に係る撮像装置の第２の処理について図３を用いて説明する。
図３は、本実施例に係る撮像装置の手ぶれ補正モードを示すフローチャートである。
ローリングシャッタ方式による手ぶれ補正撮影と、メカニカルシャッタによる手ぶれ補正をおこなわない通常撮影を１回の撮影操作で連続して実施する。
例示として２枚の画像合成で手ぶれ補正をする。
【００６１】
利用者は、操作部１２２により、撮像装置本体の電源を入れ、本処理を開始する（ステップＳ３０１）。
【００６２】
利用者によりレリーズ釦が押下される（ステップＳ３０２）。
【００６３】
制御・演算部１２０は、測光、演算を行なう（ステップＳ３０３）。
【００６４】
利用者の操作部１２２による操作により、制御・演算部１２０は、手ぶれ補正を行うか否かを判断する（ステップＳ３０４）。
【００６５】
制御・演算部１２０は、手ぶれ補正を行うと判断した場合（ステップＳ３０４／ＹＥＳ）、におけるローリングシャッタ露光・読み出し１を行う（ステップＳ３０５）。
【００６６】
制御・演算部１２０は、手ぶれ補正を行なわないと判断した場合（ステップＳ３０４／ＮＯ）、メカニカルシャッタ露光・読み出しを行う（ステップＳ３０８）。
【００６７】
ステップＳ３０５の処理後、ローリングシャッタ露光・読み出し２を行う（ステップＳ３０６）。
【００６８】
ステップＳ３０６の処理後、メカニカルシャッタ露光・読み出し３を行う（ステップＳ３０７）。
【００６９】
ステップＳ３０８の処理後、ローリングシャッタ露光・読み出し１を行う（ステップ３０９）。
【００７０】
ステップＳ３０９の処理後、ローリングシャッタ露光・読み出し２を行う（ステップＳ３１０）。
【００７１】
ステップＳ３０７の処理、ステップＳ３１０の処理後、制御・演算部１２０は、手ぶれ補正処理を行うように制御する（ステップＳ３１１）。
【００７２】
ステップＳ３１１の処理後、制御・演算部１２０は、通常の画像処理を行うように制御する（ステップＳ３１２）。
【００７３】
ステップＳ３１２の処理後、制御・演算部１２０は、画像書き込み（２枚）を行うように制御する（ステップＳ３１３）。
【００７４】
ステップＳ２１３の処理後、本処理を終了する（ステップＳ３１４）。
【００７５】
本実施例によれば、ローリングシャッタ方式による手ぶれ補正撮影と、メカニカルシャッタによる手ぶれ補正をおこなわない通常撮影を１回の撮影操作で連続して実施することが可能である。
【実施例３】
【００７６】
本実施例に係る撮像装置の第３の処理について図４を用いて説明する。
図４は、本実施例に係る撮像装置のフォーカスブラケットモードを示すフローチャートである。
ローリングシャッタ方式によるフォーカスブラケット撮影と、メカニカルシャッタによる非ブラケット撮影を１回の撮影操作で連続して実施するフローを図示する。例示として３枚の画像でブラケット撮影を行なう。
なお、測距・演算においてフォーカス位置＝ｆｐ２でメカニカルシャッタ方式での撮影ではジャスピンと判断している。また、ｆｐ１＞ｆｐ２＞ｆｐ３若しくはｆｐ１＜ｆｐ２＜ｆｐ３の関係となっている。
【００７７】
利用者は、操作部１２２により、撮像装置本体の電源を入れ、本処理を開始する（ステップＳ４０１）。
【００７８】
利用者によりレリーズ釦が押下される（ステップＳ４０２）。
【００７９】
制御・演算部１２０は、測光、演算を行なう（ステップＳ４０３）。
【００８０】
利用者の操作部１２２による操作により、制御・演算部１２０は、フォーカスブラケット優先撮影を行うか否かを判断する（ステップＳ４０４）。
【００８１】
制御・演算部１２０は、フォーカスブラケット優先撮影を行うと判断した場合（ステップＳ４０４／ＹＥＳ）、フォーカス位置ｆｐ１におけるローリングシャッタ露光・読み出し１を行う（ステップＳ４０５）。
【００８２】
制御・演算部１２０は、フォーカスブラケット優先撮影を行なわないと判断した場合（ステップＳ４０４／ＮＯ）、フォーカス位置ｆｐ２におけるメカニカルシャッタ露光・読み出しを行う（ステップＳ４０９）。
【００８３】
ステップＳ４０５の処理後、フォーカス位置ｆｐ２におけるローリングシャッタ露光・読み出し２を行う（ステップＳ４０６）。
【００８４】
ステップＳ４０６の処理後、フォーカス位置ｆｐ３におけるローリングシャッタ露光・読み出し３を行う（ステップＳ４０７）。
【００８５】
ステップＳ４０７の処理後、フォーカス位置ｆｐ４におけるメカニカルシャッタ露光・読み出しを行う（ステップＳ４０８）。
【００８６】
ステップＳ４０９の処理後、フォーカス位置ｆｐ１におけるローリングシャッタ露光・読み出し１を行う（ステップＳ４１０）。
【００８７】
ステップＳ４１０の処理後、フォーカス位置ｆｐ２におけるローリングシャッタ露光・読み出し２を行う（ステップＳ４１１）。
【００８８】
ステップＳ４１１の処理後、フォーカス位置ｆｐ３におけるローリングシャッタ露光・読み出し３を行う（ステップＳ２１２）。
【００８９】
ステップＳ４０８の処理、ステップＳ４１２の処理後、制御・演算部１２０は、通常の画像処理を行うように制御する（ステップＳ４１３）。
【００９０】
ステップＳ４１３の処理後、制御・演算部１２０は、画像書き込み（４枚）を行うように制御する（ステップＳ４１４）。
【００９１】
ステップＳ４１４の処理後、本処理を終了する（ステップＳ４１５）。
【００９２】
本実施例によれば、ローリングシャッタ方式によるフォーカスブラケット撮影と、メカニカルシャッタによる非ブラケット撮影を１回の撮影操作で連続して実施することが可能である。
【実施例４】
【００９３】
本実施例に係る撮像装置の第４の処理について図５を用いて説明する。
図５は、本実施例に係る撮像装置の露出ブラケットモードを示すフローチャートである。
第４の処理は、ローリングシャッタ方式による露出ブラケット撮影と、メカニカルシャッタによる非ブラケット撮影を１回の撮影操作で連続して実施する。
例示として３枚の画像でブラケット撮影をおこなう。露出レベルは絞りもしくは露光時間の切り替えによっておこなう。
【００９４】
利用者は、操作部１２２により、撮像装置本体の電源を入れ、本処理を開始する（ステップＳ５０１）。
【００９５】
利用者によりレリーズ釦が押下される（ステップＳ５０２）。
【００９６】
制御・演算部１２０は、測光、演算を行なう（ステップＳ５０３）。
【００９７】
利用者の操作部１２２による操作により、制御・演算部１２０は、露出ブラケット優先撮影を行うか否かを判断する（ステップＳ５０４）。
【００９８】
制御・演算部１２０は、露出ブラケット優先撮影を行うと判断した場合（ステップＳ５０４／ＹＥＳ）、露出補正−１／３Ｅｖにおけるローリングシャッタ露光・読み出し１を行う（ステップＳ５０５）。
【００９９】
制御・演算部１２０は、フォーカスブラケット優先撮影を行なわないと判断した場合（ステップＳ４０５／ＮＯ）、露出補正０Ｅｖにおけるメカニカルシャッタ露光・読み出しを行う（ステップＳ５０９）。
【０１００】
ステップＳ５０５の処理後、露出補正０Ｅｖにおけるローリングシャッタ露光・読み出し２を行う（ステップＳ５０６）。
【０１０１】
ステップＳ５０６の処理後、露出補正＋１／３Ｅｖにおけるローリングシャッタ露光・読み出し３を行う（ステップＳ５０７）。
【０１０２】
ステップＳ５０７の処理後、露出補正０Ｅｖにおけるメカニカルシャッタ露光・読み出しを行う（ステップＳ５０８）。
【０１０３】
ステップＳ５０９の処理後、露出補正−１／３Ｅｖにおけるローリングシャッタ露光・読み出し１を行う（ステップＳ５１０）。
【０１０４】
ステップＳ５１０の処理後、露出補正０Ｅｖにおけるローリングシャッタ露光・読み出し２を行う（ステップＳ５１１）。
【０１０５】
ステップＳ５１１の処理後、露出補正＋１／３Ｅｖにおけるローリングシャッタ露光・読み出し３を行う（ステップＳ５１２）。
【０１０６】
ステップＳ５０８の処理、ステップＳ５１２の処理後、制御・演算部１２０は、通常の画像処理を行うように制御する（ステップＳ５１３）。
【０１０７】
ステップＳ５１３の処理後、制御・演算部１２０は、画像書き込み（４枚）を行うように制御する（ステップＳ５１４）。
【０１０８】
ステップＳ５１４の処理後、本処理を終了する（ステップＳ５１５）。
【０１０９】
本実施例によれば、ローリングシャッタ方式による露出ブラケット撮影と、メカニカルシャッタによる非ブラケット撮影を１回の撮影操作で連続して実施することが可能となる。
【実施例５】
【０１１０】
本実施例に係る撮像装置の第５の処理について図６を用いて説明する。
図６は、本実施例に係る撮像装置の被写界深度ブラケットモードを示すフローチャートである。
第５の処理は、ローリングシャッタ方式による被写界深度ブラケット撮影と、メカニカルシャッタによる非ブラケット撮影を１回の撮影操作で連続して実施するフローを図示する。
例示として３枚の画像でブラケット撮影をおこなう。被写界深度は絞りと露光時間の切り替えによっておこなう。
【０１１１】
利用者は、操作部１２２により、撮像装置本体の電源を入れ、本処理を開始する（ステップＳ６０１）。
【０１１２】
利用者によりレリーズ釦が押下される（ステップＳ６０２）。
【０１１３】
制御・演算部１２０は、測光、演算を行なう（ステップＳ６０３）。
【０１１４】
利用者の操作部１２２による操作により、制御・演算部１２０は、被写界深度ブラケット優先撮影を行うか否かを判断する（ステップＳ６０４）。
【０１１５】
制御・演算部１２０は、被写界深度ブラケット優先撮影を行うと判断した場合（ステップＳ６０４／ＹＥＳ）、絞りＦ１におけるローリングシャッタ露光・読み出し１を行う（ステップＳ６０５）。
【０１１６】
制御・演算部１２０は、フォーカスブラケット優先撮影を行なわないと判断した場合（ステップＳ６０５／ＮＯ）、絞りＦ２におけるメカニカルシャッタ露光・読み出しを行う（ステップＳ６０９）。
【０１１７】
ステップＳ６０５の処理後、絞りＦ２におけるローリングシャッタ露光・読み出し２を行う（ステップＳ６０６）。
【０１１８】
ステップＳ６０６の処理後、絞りＦ３におけるローリングシャッタ露光・読み出し３を行う（ステップＳ６０７）。
【０１１９】
ステップＳ６０７の処理後、絞りＦ２におけるメカニカルシャッタ露光・読み出しを行う（ステップＳ６０８）。
【０１２０】
ステップＳ６０９の処理後、絞りＦ１におけるローリングシャッタ露光・読み出し１を行う（ステップＳ６１０）。
【０１２１】
ステップＳ６１０の処理後、絞りＦ２におけるローリングシャッタ露光・読み出し２を行う（ステップＳ６１１）。
【０１２２】
ステップＳ６１１の処理後、絞りＦ３におけるローリングシャッタ露光・読み出し３を行う（ステップＳ６１２）。
【０１２３】
ステップＳ６０８の処理、ステップＳ６１２の処理後、制御・演算部１２０は、通常の画像処理を行うように制御する（ステップＳ６１３）。
【０１２４】
ステップＳ６１３の処理後、制御・演算部１２０は、画像書き込み（４枚）を行うように制御する（ステップＳ６１４）。
【０１２５】
ステップＳ６１４の処理後、本処理を終了する（ステップＳ６１５）。
【０１２６】
本実施例によれば、ローリングシャッタ方式による被写界深度ブラケット撮影と、メカニカルシャッタによる非ブラケット撮影を１回の撮影操作で連続して実施することが可能となる。
【実施例６】
【０１２７】
本実施例に係る撮像装置の第６の処理について図７を用いて説明する。
図７は、本実施例に係る撮像装置の被写体ぶれブラケットモードを示すフローチャートである。
第６の処理は、ローリングシャッタ方式による被写体ぶれブラケット撮影と、メカニカルシャッタによる非ブラケット撮影を１回の撮影操作で連続して実施する。
例示として３枚の画像でブラケット撮影をおこなう。被写体ぶれは撮像感度と露光時間の切り替えによっておこなう。
【０１２８】
利用者は、操作部１２２により、撮像装置本体の電源を入れ、本処理を開始する（ステップＳ７０１）。
【０１２９】
利用者によりレリーズ釦が押下される（ステップＳ７０２）。
【０１３０】
制御・演算部１２０は、測光、演算を行なう（ステップＳ７０３）。
【０１３１】
利用者の操作部１２２による操作により、制御・演算部１２０は、被写体ぶれブラケット優先撮影を行うか否かを判断する（ステップＳ７０４）。
【０１３２】
制御・演算部１２０は、被写体ぶれブラケット優先撮影を行うと判断した場合（ステップＳ７０４／ＹＥＳ）、撮影感度１、露光時間＝Ｔ１におけるローリングシャッタ露光・読み出し１を行う（ステップＳ７０５）。
【０１３３】
制御・演算部１２０は、被写体ぶれブラケット優先撮影を行なわないと判断した場合（ステップＳ７０４／ＮＯ）、撮影感度２、露光時間＝Ｔ２におけるメカニカルシャッタ露光・読み出しを行う（ステップＳ７０９）。
【０１３４】
ステップＳ７０５の処理後、撮影感度２、露光時間＝Ｔ２におけるローリングシャッタ露光・読み出し２を行う（ステップＳ７０６）。
【０１３５】
ステップＳ７０６の処理後、撮影感度３、露光時間＝Ｔ３におけるローリングシャッタ露光・読み出し３を行う（ステップＳ７０７）。
【０１３６】
ステップＳ７０７の処理後、撮影感度２、露光時間＝Ｔ２におけるメカニカルシャッタ露光・読み出しを行う（ステップＳ７０８）。
【０１３７】
ステップＳ７０９の処理後、撮影感度１、露光時間＝Ｔ１におけるローリングシャッタ露光・読み出し１を行う（ステップＳ７１０）。
【０１３８】
ステップＳ７１０の処理後、撮影感度２、露光時間＝Ｔ２におけるローリングシャッタ露光・読み出し２を行う（ステップＳ７１１）。
【０１３９】
ステップＳ７１１の処理後、撮影感度３、露光時間＝Ｔ３におけるローリングシャッタ露光・読み出し３を行う（ステップＳ７１２）。
【０１４０】
ステップＳ７０８の処理、ステップＳ７１２の処理後、制御・演算部１２０は、通常の画像処理を行うように制御する（ステップＳ７１３）。
【０１４１】
ステップＳ７１３の処理後、制御・演算部１２０は、画像書き込み（４枚）を行うように制御する（ステップＳ７１４）。
【０１４２】
ステップＳ７１４の処理後、本処理を終了する（ステップＳ７１５）。
【０１４３】
本実施例によれば、ローリングシャッタ方式による被写体ぶれブラケット撮影と、メカニカルシャッタによる非ブラケット撮影を１回の撮影操作で連続して実施することが可能となる。
【実施例７】
【０１４４】
本実施例に係る撮像装置の第７の処理について図８を用いて説明する。
図８は、本実施例に係る撮像装置の被写体ぶれダイナミックレンジ拡大モードを示すフローチャートである。（ローリング方式のみ選択可能）
第７の処理は、実施例１のローリングシャッタ方式によるダイナミックレンジ拡大撮影と、メカニカルシャッタによるダイナミックレンジ拡大をおこなわない通常撮影を１回の撮影操作で連続して実施するのに対し、更にローリングシャッタ方式のみの撮影も可能とする。
図８中ステップＳ８１４〜８１６の処理を新規に加え、撮影方式の選択幅を増やした。この追加は実施例２から５の処理に対しても同様に応用できる。
【０１４５】
利用者は、操作部１２２により、撮像装置本体の電源を入れ、本処理を開始する（ステップＳ８０１）。
【０１４６】
利用者によりレリーズ釦が押下される（ステップＳ８０２）。
【０１４７】
制御・演算部１２０は、測光、演算を行なう（ステップＳ８０３）。
【０１４８】
利用者の操作部１２２による操作により、制御・演算部１２０は、メカニカルシャッタ方式露光・読み出し必要か否かを判断する（ステップＳ８０４）。
【０１４９】
制御・演算部１２０は、メカニカルシャッタ方式露光・読み出し必要と判断した場合（ステップＳ８０４／ＹＥＳ）、被写体ぶれブラケット優先撮影を行うか否かを判断する（ステップＳ８０５）。
【０１５０】
制御・演算部１２０は、メカニカルシャッタ方式露光・読み出し必要でないと判断した場合（ステップＳ８０４／ＮＯ）、露光時間＝Ｔ１におけるローリングシャッタ露光・読み出し１を行う（ステップＳ８１４）。
【０１５１】
ステップＳ８０５の処理で、制御・演算部１２０は、被写体ぶれブラケット優先撮影を行うと判断した場合（ステップＳ８０５／ＹＥＳ）、露光時間＝Ｔ１におけるローリングシャッタ露光・読み出し１を行う（ステップＳ８０６）。
【０１５２】
ステップＳ８０５の処理で、制御・演算部１２０は、被写体ぶれブラケット優先撮影を行なわないと判断した場合（ステップＳ８０５／ＮＯ）、露光時間＝Ｔ２におけるメカニカルシャッタ露光・読み出しを行う（ステップＳ８１０）。
【０１５３】
ステップＳ８０６の処理後、露光時間＝Ｔ２におけるローリングシャッタ露光・読み出し２を行う（ステップＳ８０７）。
【０１５４】
ステップＳ８０７の処理後、露光時間＝Ｔ３におけるローリングシャッタ露光・読み出し３を行う（ステップＳ８０８）。
【０１５５】
ステップＳ８０８の処理後、露光時間＝Ｔ２におけるメカニカルシャッタ露光・読み出しを行う（ステップＳ８０９）。
【０１５６】
ステップＳ８１０の処理後、露光時間＝Ｔ１におけるローリングシャッタ露光・読み出し１を行う（ステップＳ８１１）。
【０１５７】
ステップＳ８１１の処理後、露光時間＝Ｔ２におけるローリングシャッタ露光・読み出し２を行う（ステップＳ８１２）。
【０１５８】
ステップＳ８１２の処理後、露光時間＝Ｔ３におけるローリングシャッタ露光・読み出し３を行う（ステップＳ８１３）。
【０１５９】
ステップＳ８１４の処理後、露光時間＝Ｔ２におけるローリングシャッタ露光・読み出し２を行う（ステップＳ８１５）。
【０１６０】
ステップＳ８１５の処理後、露光時間＝Ｔ３におけるメカニカルシャッタ露光・読み出し３を行う（ステップＳ８１６）。
【０１６１】
ステップＳ８０９の処理、ステップＳ８１３の処理、ステップＳ８１６の処理後、制御・演算部１２０は、ダイナミック拡大処理を行うように制御する（ステップＳ８１７）。
【０１６２】
ステップＳ８１７の処理後、制御・演算部１２０は、通常の画像処理を行うように制御する（ステップＳ８１８）。
【０１６３】
ステップＳ８１８の処理後、制御・演算部１２０は、画像書き込み（４枚）を行うように制御する（ステップＳ８１９）。
【０１６４】
ステップＳ８１９の処理後、本処理を終了する（ステップＳ８２０）。
【０１６５】
本実施例によれば、実施例１のローリングシャッタ方式によるダイナミックレンジ拡大撮影と、メカニカルシャッタによるダイナミックレンジ拡大をおこなわない通常撮影を１回の撮影操作で連続して実施するのに対し、更にローリングシャッタ方式のみの撮影も可能とする。
【図面の簡単な説明】
【０１６６】
【図１】本発明に係る撮像装置の構成の一例を示すブロック図である。
【図２】第１の実施例に係る撮像装置のダイナミックレンジ拡大モードを示すフローチャート図である。
【図３】第２の実施例に係る撮像装置の手ぶれ補正モードを示すフローチャート図である。
【図４】第３の実施例に係る撮像装置のフォーカスブラケットモードを示すフローチャート図である。
【図５】第４の実施例に係る撮像装置の露出ブラケットモードを示すフローチャート図である。
【図６】第５の実施例に係る撮像装置の被写体深度ブラケットモードを示すフローチャート図である。
【図７】第６の実施例に係る撮像装置の被写体ぶれブラケットモードを示すフローチャート図である。
【図８】第７の実施例に係る撮像装置のダイナミックレンジ拡大モードを示すフローチャート図である。
【符号の説明】
【０１６７】
１００    光学ユニット
１０１    レンズ
１０２    絞り・シャッタ
１０３    光学ローパスフィルタ
１０４    ＣＭＯＳセンサ
１０５    光学系駆動部
１０６    駆動部
１１０    画像処理部
１１１    ダイナミックレンジ拡大部
１２０    制御・演算部
１２１    プログラム用メモリ
１２２    操作部
１２３    ＬＣＤパネル
１２４    圧縮・伸張処理部
１２５    画像記録Ｉ／Ｆ部
１２６    バッファメモリ
【図１】
2008306684.tif 000003
【図２】
2008306684.tif 000004
【図３】
2008306684.tif 000005
【図４】
2008306684.tif 000006
【図５】
2008306684.tif 000007
【図６】
2008306684.tif 000008
【図７】
2008306684.tif 000009
【図８】
2008306684.tif 000010
【手続補正書】
【提出日】平成19年6月19日(2007.6.19)
【手続補正１】
【補正対象書類名】図面
【補正対象項目名】図８
【補正方法】変更
【補正の内容】
【図８】
2008306684.tif 000011